(57)【要約】【課題】ユーザに飽きの来ないクイズやパズルなどの娯楽機能を再生装置で動作させる方法を提供する【解決手段】記録媒体２に、ＣＰＵ１２の娯楽機能の動作の際に用いるデータであり、特殊な拡張子に変更したクイズやパズルなどの問題及び解答を表示するための画像データであるファイルを記録し、記録再生装置１にセットすると、ＣＰＵ１２は記録媒体２のデータを判別し、特殊な拡張子を識別できた場合は、該特殊な拡張子である画像データをファイル処理部１２ｂにより識別すると共に娯楽用表示映像に加工し、ファイルデコード部１２ａにより画像データを映像化して表示部に表示する。【選択図】図１
2007122424.tif 000002
【特許請求の範囲】
【請求項１】
光ディスク等の記録媒体の再生を行う再生手段と、
前記再生手段の制御を行う制御部と、
ユーザによる操作を前記制御部に指示する操作手段を備える再生装置において、
前記制御部は、前記再生手段により読み込まれる前記記録媒体に記録されるデータを用いて、前記記録媒体の再生動作以外の動作を行う、非再生プログラムを備えることを特徴とする再生装置における娯楽機能動作方法。
【請求項２】
前記非再生プログラムはクイズ又はパズル等の娯楽プログラムであることを特徴とする請求項１に記載の再生装置における娯楽機能動作方法。
【請求項３】
前記記録媒体に記録されるデータは、前記非再生プログラムで用いるための専用のファイル構造で構成されることを特徴とする請求項１又は２に記載の再生装置における娯楽機能動作方法。
【請求項４】
前記ファイル構造は、前記非再生プログラムの用途毎に複数種類で構成されることを特徴とする請求項３に記載の再生装置における娯楽機能動作方法。
【請求項５】
前記ファイル構造は、記録データに対して専用の拡張子を付すことであり、記録媒体に記録されるデータが同一種類のデータであっても、前記非再生プログラムの用途毎に異なる拡張子を付すことを特徴とする請求項３又は４に記載の再生装置における娯楽機能動作方法。
【請求項６】
前記非再生プログラムは、前記拡張子毎にデータの再生を行う際、それぞれの前記拡張子に対応した用途に応じて、独立した再生動作をすることを特徴とする請求項５に記載の再生装置における娯楽機能動作方法。
【発明の詳細な説明】
【技術分野】
【０００１】
本発明は、記録媒体に記録された映像の再生の他に、記録媒体に記録されたデータを用いたゲーム機能を動作させることが可能な、再生装置における娯楽機能動作方法に関する。
【背景技術】
【０００２】
従来、記録媒体の再生を行う再生装置において、映像を再生する機能とは別に、クイズやパズルなどのゲーム機能を有する再生装置があり、再生装置が備える内部メモリに、再生の動作以外の、娯楽若しくは学習といったプログラムを記憶させ、ユーザがその娯楽や学習プログラムを動作させ、その解答や正解率を、同じく内部メモリに記憶するという機能を備えている。
【０００３】
例えば、特許文献１では、テレビ受信装置において装置内部のメモリにゲームデータを記憶し、ユーザからの要求によりゲーム機能として画面に表示する方法が開示されている。
【０００４】
また、特許文献２では、テレビ受信装置等の映像出力装置の付属機能として、パズルゲーム機能を搭載した装置が開示されている。
【０００５】
【特許文献１】特開２００５−２７００２１号公報
【特許文献２】特開２００５−３９３９９号公報
【０００６】
しかしながら、特許文献１及び２は、双方とも装置内部に備える記憶手段により、娯楽機能を記憶しており、娯楽機能の動作に必要なデータの入れ替えを行うことができず、遠くない将来に必ず娯楽機能にユーザが飽きてしまうという欠点があった。
【発明の開示】
【発明が解決しようとする課題】
【０００７】
本発明は上記課題を鑑みてなされたものであり、ユーザが飽きてしまわないようにするため、ゲームデータなどを随時変更することが可能な、再生装置における娯楽機能動作方法を提供することを目的とする。
【課題を解決するための手段】
【０００８】
請求項１に係る再生装置における娯楽機能動作方法は、
光ディスク等の記録媒体の再生を行う再生手段と、
前記再生手段の制御を行う制御部と、
ユーザによる操作を前記制御部に指示する操作手段を備える再生装置において、
前記制御部は、前記再生手段により読み込まれる前記記録媒体に記録されるデータを用いて、前記記録媒体の再生動作以外の動作を行う、非再生プログラムを備えることを特徴とする。
【０００９】
請求項１の構成によれば、再生装置に挿入する記録媒体に記録されたデータを用いて、通常の映像再生ではない動作を、非再生プログラムにより行うことができる。
【００１０】
請求項２に係る再生装置における娯楽機能動作方法は、請求項１に記載の再生装置における娯楽機能動作方法において、前記非再生プログラムはクイズ又はパズル等の娯楽プログラムであることを特徴とする請求項１に記載の再生装置における娯楽機能動作方法。
【００１１】
請求項２の構成によれば、非再生プログラムの動作により、再生装置でクイズ又はパズル等の楽しむことができる。
【００１２】
請求項３に係る再生装置における娯楽機能動作方法は、請求項１又は２に記載の再生装置における娯楽機能動作方法において、前記記録媒体に記録されるデータは、前記非再生プログラムで用いるための専用のファイル構造で構成されることを特徴とする。
【００１３】
請求項３の構成によれば、娯楽機能を動作させるための記録媒体は、記録されるデータのファイル構造を専用の特徴的なファイル構造とする。
【００１４】
請求項４に係る再生装置における娯楽機能動作方法は、請求項３に記載の再生装置における娯楽機能動作方法において、前記ファイル構造は、前記非再生プログラムの用途毎に複数種類で構成されることを特徴とする。
【００１５】
請求項４の構成によれば、複数種類の動作を行うような娯楽機能に用いる場合、専用のファイル構造として複数種類で構成することで、複数種類のファイル構造と複数種類の非再生プログラムの動作を対応させることができる。
【００１６】
請求項５に係る再生装置における娯楽機能動作方法は、請求項３又は４に記載の再生装置における娯楽機能動作方法において、前記ファイル構造は、記録データに対して専用の拡張子を付すことであり、記録媒体に記録されるデータが同一種類のデータであっても、前記非再生プログラムの用途毎に異なる拡張子を付すことを特徴とする。
【００１７】
請求項５の構成によれば、記録媒体に記録されるデータの用途を判別するための専用のファイル構造として、専用の拡張子を用いる。この拡張子は、仮に記録媒体に記録されるデータが全て同じ種類のデータ、例えばＪＰＥＧなどの画像データであっても、用途毎に拡張子を変更して記録するものである。
【００１８】
請求項６に係る再生装置における娯楽機能動作方法は、請求項５に記載の再生装置における娯楽機能動作方法において、前記非再生プログラムは、前記拡張子毎にデータの再生を行う際、それぞれの前記拡張子に対応した用途に応じて、独立した再生動作をすることを特徴とする。
【００１９】
請求項６の構成によれば、異なる拡張子が複数記録される記録媒体が再生装置に挿入された際、非再生プログラムは拡張子を判別することにより、記録媒体に記録されるデータの使用用途を判別し、用途に応じた再生動作によりデータの再生を行う。
【発明の効果】
【００２０】
請求項１に係る再生装置における娯楽機能動作方法は、
光ディスク等の記録媒体の再生を行う再生手段と、
前記再生手段の制御を行う制御部と、
ユーザによる操作を前記制御部に指示する操作手段を備える再生装置において、
前記制御部は、前記再生手段により読み込まれる前記記録媒体に記録されるデータを用いて、前記記録媒体の再生動作以外の動作を行う、非再生プログラムを備えるので、再生装置を、記録媒体に記録された映像などの再生以外の、他の機能として備える非再生プログラムを有し、記録媒体に記録されたデータを用いるため、異なるデータを記憶する記録媒体を挿入することにより、非再生プログラムの動作を異なるものとすることができる。
【００２１】
請求項２に係る再生装置における娯楽機能動作方法は、請求項１に記載の再生装置における娯楽機能動作方法において、前記非再生プログラムはクイズ又はパズル等の娯楽プログラムであるので、ユーザはこの娯楽機能動作方法を備える再生装置により娯楽を楽しむことができる。
【００２２】
請求項３に係る再生装置における娯楽機能動作方法は、請求項１又は２に記載の再生装置における娯楽機能動作方法において、前記記録媒体に記録されるデータは、前記非再生プログラムで用いるための専用のファイル構造で構成されるので、通常の記録媒体を挿入時に再生装置が自動的に再生する機能などを阻害することなく、非再生プログラムによりファイル構造を判別し、動作させることができる。
【００２３】
請求項４に係る再生装置における娯楽機能動作方法は、請求項３に記載の再生装置における娯楽機能動作方法において、前記ファイル構造は、前記非再生プログラムの用途毎に複数種類で構成されるので、再生装置では、ファイル構造により非再生プログラムの動作の種類を判別することができ、ファイル構造毎に独立して再生することができる。
【００２４】
請求項５に係る再生装置における娯楽機能動作方法は、請求項３又は４に記載の再生装置における娯楽機能動作方法において、前記ファイル構造は、記録データに対して専用の拡張子を付すことであり、記録媒体に記録されるデータが同一種類のデータであっても、前記非再生プログラムの用途毎に異なる拡張子を付すので、拡張子を識別するだけで、当該拡張子が付されたファイルの用途の判別が非再生プログラムにより可能となる。
【００２５】
請求項６に係る再生装置における娯楽機能動作方法は、請求項５に記載の再生装置における娯楽機能動作方法において、前記非再生プログラムは、前記拡張子毎にデータの再生を行う際、それぞれの前記拡張子に対応した用途に応じて、独立した再生動作をするので、記録媒体に記録された複数の用途で用いるファイルが多数存在したとしても、非再生プログラムは、複数のファイルを拡張子により分類し、非再生プログラムの動作に応じて必要なファイルの再生を行うことができる。
【発明を実施するための最良の形態】
【００２６】
以下、本発明を実施するための最良の形態としての実施例を図１から図９を参照して説明する。もちろん、本発明は、その発明の趣旨に反さない範囲で、実施例において説明した以外のものに対しても容易に適用可能なことは説明を要するまでもない。
【００２７】
図１〜図９は、本発明の実施例を示し、図１は、本実施例における記録再生装置の構成を示すブロック図である。図２は本実施例の問題及び解答データの取得から記録再生装置による問題及び解答の閲覧までの方法を示すフローチャート図である。図３は、記録再生装置による問題及び解答データの表示動作を示すフローチャート図である。図４は問題の表示例を示す説明図であり、図５は、図４の問題の解答の表示例を示す説明図である。図６は記録再生装置によるパズルの表示動作を示すフローチャート図であり、図７はパズルを行うための記録媒体に記録されるファイルの構成を示す説明図である。図８はパズルの表示例を示す説明図であり、図９はパズルの正解の表示例を示す説明図である。
【００２８】
図１に基づいて、本実施例における記録再生装置の構成を説明する。１は記録再生装置であり、１１は記録媒体のデータの読み取り及び書き込みを行う再生手段たるディスクドライブ部であり、１２は記録再生装置１の動作を制御するＣＰＵである。１２ａは、ディスクドライブ部１１により読み込んだファイルを復号するファイルデコード部１２ａであり、１２ｂは記録媒体に記録されたファイルの構成により、ファイルの処理を行うファイル処理部である。１３はＣＰＵ１２の動作に必要な情報や、記録媒体から読み出したデータを記憶するメモリ部であり、１４は記録再生装置１をユーザが操作するためのキー操作部である。２は記録再生装置１に挿入し、データの記録再生を行う、記録媒体である。３は記録再生装置１から映像や音声などを表示する表示装置たるモニタである。
【００２９】
次に、図２に基づいて、問題及び解答を入手し、記録再生装置１によって、その問題及び解答をモニタ３に表示するまでの流れを説明する。最初にクイズやパズルなどの問題及び解答データである拡張子を変更したＪＰＥＧ画像データをＷＥＢサイトなどで配信を行う（Ｓ１００１）。ユーザは所望の問題及び解答データをＷＥＢサイトからダウンロードし、記録媒体２に書き込みを行う（Ｓ１００２）。記録再生装置１にステップＳ１００２で作成した記録媒体２を挿入し、再生する（Ｓ１００３）。記録再生装置１は挿入された記録媒体２に記録されるファイル構造が特殊であるか（本実施例では、特殊な拡張子であること）を判別する（Ｓ１００４）。ここで、記録媒体２が特殊な構造ではなく、通常の映像データを記録した記録媒体である場合は、通常の映像再生を行う（Ｓ１０１５）。特殊な構造である場合、記録再生装置１のＣＰＵ１２が有するファイル処理部１２ｂにより処理を行い、クイズ機能の動作を開始する（Ｓ１００５）。問題がクイズ形式かパズル形式かを判別し（Ｓ１００６）、クイズ形式の場合、問題画像の表示をモニタ３に行う（Ｓ１００７）。解答の閲覧を要求する操作がキー操作部１４なされるまで問題画像の表示を続け、解答の閲覧を要求する操作がキー操作部１４によりなされた場合（Ｓ１００８）、解答画面をモニタ３に表示する（Ｓ１００９）。その後、次の問題がある場合は（Ｓ１０１０）、更にその問題画像を表示するためにステップＳ１００７へ戻り、次の問題が無い場合は処理を終了する。ステップＳ１００６で、パズル形式の問題であることが判別された場合、後述の複数の画像をモニタ３に表示するパズル画面の描画を行う（Ｓ１０１１）。キー操作部１４、例えばリモコンにより、ユーザが任意に指定した１つの画像を、同じくユーザが任意に指定した方向に移動させ（Ｓ１０１２）、全ての画像が正解の位置となるか、ステップＳ１００８と同様に解答の閲覧を要求する操作がなされたかを判別し（Ｓ１０１３）、全ての正解の位置となるか、解答の閲覧を要求する操作がなされた場合、パズル完成画面をモニタ３に表示し（Ｓ１０１４）、ステップＳ１０１０へ続くこととなる。
【００３０】
次に、図３に基づいて、クイズ形式による記録再生装置のゲーム機能の動作を説明する。挿入された記録媒体２のファイル情報を読み込む（Ｓ２００１）。ファイル情報内に問題画像であることを示す特殊な拡張子（本実施例では．ｏｒｎとする）に変更されたＪＰＥＧ画像データが存在するかを判別する。存在しない場合は通常の映像再生処理を行う（Ｓ２００７）。該当データが存在する場合、特殊な拡張子であるファイルをＪＰＥＧファイルとして、ファイルデコード部１２ａによりデコードしモニタ３に表示を行う（Ｓ２００３）。この際、変更された拡張子やヘッダ情報を元に戻すことによりＪＰＥＧ画像データとして読み込み可能とする。拡張子が．ｏｒｎである問題画像がモニタ３に表示中に、ユーザによる解答閲覧の要求がキー処理部１４を通してあったかを判別し（Ｓ２００４）、無い場合はそのまま問題画像の表示を継続し、ある場合は、解答画像であることを示す特殊な拡張子（本実施例では．ｏｒｚ）が付加されたＪＰＥＧ画像データのデコードをし、モニタ３に表示を行う（Ｓ２００５）。その後、ディスクの排出要求や再生停止要求を判別し、該当要求がある場合は（Ｓ２００６）ゲーム機能を停止し、無い場合はステップＳ２００３に移行し、次の問題を継続してモニタ３に表示する。
【００３１】
図４及び５は、クイズ形式による記録再生装置のゲーム機能の動作した場合のモニタ３の表示例を示している。図４は図３のステップＳ２００３に記載の問題画像であり、図５は、図３のステップＳ２００５に記載の、解答閲覧の要求があった際に表示する解答画像である。
【００３２】
次に、図６に基づいて、パズル形式による記録再生装置のゲーム機能の動作を説明する。パズル形式の場合、ファイル処理部１２ｂは、Ｐｕｚｚｌｅディレクトリを参照し、問題画像であることを示す特殊な拡張子であるファイル（本実施例ではＰｕｚｚｌｅ＊．ｏｒｎ、＊は１〜９）を全てファイル処理部１２ｂによりデコードし、３＊３に分割した表示装置にそれぞれを表示する（Ｓ３００１）。ユーザのキー操作部１４の操作により、選択した２つの画像を入れ替える（Ｓ３００２）。全ての画像が正解の位置となるか、解答閲覧の要求があるかを判別し（Ｓ３００３）全ての画像が正解の位置となるか、解答閲覧の要求があるまで、ステップＳ３００２を継続し、全ての画像が正解の位置となるか、若しくは解答閲覧の要求があった場合、解答画像であることを示す特殊な拡張子（本実施例では．ｏｒｚ）が付加されたＪＰＥＧ画像データのデコードをファイルデコード部１２ａにより行い、当該画像データの表示を行い、パズル形式のゲーム機能を終了する（Ｓ３００４）。
【００３３】
図７は、記憶媒体に記憶されたパズル形式の問題及び解答データのファイル構造である。この図で示されるように、ディレクトリ「Ｐｕｚｚｌｅ」が存在し、その内部に問題用画像データであるＰｕｚｚｌｅ１〜９．ｏｒｎと解答用画像データであるＰｕｚｚｌｅ．ｏｒｚが記録されている。このディレクトリ「Ｐｕｚｚｌｅ」の有無により、問題がパズル形式であるかを判別する。
【００３４】
図８及び９は、パズル形式による記録再生装置のゲーム機能の動作した場合のモニタ３による表示例を示している。図８は図６のステップＳ３００２に記載の問題画像であり、図９は、図３のステップＳ３００４に記載の、解答閲覧の要求があった際に表示する解答画像である。
【００３５】
以上のように構成されたゲーム機能を備えた記録再生装置１において、ＷＥＢサイトから問題及び解答データをダウンロードし、書き換え可能な記録媒体２に記憶させ、これを用いてファイルデコード部１２ａ及びファイル処理部１２ｂにより、問題及び解答をモニタ３に表示することにより、ユーザは何度も同じ問題をすることがなくなり、飽きることなくゲーム機能を利用することができる。また、問題及び解答データを単純な画像データとすることで、問題及び解答データのファイルサイズを削減することができ、問題及び解答データのダウンロードや記録媒体への書き込みをストレス無く行うことができる。
【００３６】
以上、本発明の実施例を詳述したが、本発明は前記実施例に限定されるものではなく、本発明の要旨の範囲内で種々の変形実施が可能である。問題及び解答データをＪＰＥＧ画像としたが、これに限定せずに、記録再生装置で認識可能な画像形式であれば、何れの形式であっても問題ない。また、問題及び解答データをＷＥＢサイトにより配布するとしたが、問題及び解答データを記録した記録媒体を配布若しくは販売するとしても何ら問題は無い。
【図面の簡単な説明】
【００３７】
【図１】本発明の実施例における、記録再生装置の構成を示すブロック図である。
【図２】同上、ＷＥＢサイト上から問題及び解答データを取得し、記録再生装置により問題及び解答を表示するまでの動作を示すフローチャート図である。
【図３】同上、記録再生装置のクイズ形式によるゲーム機能の動作を示すフローチャート図である。
【図４】同上、クイズ形式によるゲーム機能の問題画像表示中の表示装置を示す説明図である。
【図５】同上、クイズ形式によるゲーム機能の解答画像表示中の表示装置を示す説明図である。
【図６】同上、記録再生装置のパズル形式によるゲーム機能の動作を示すフローチャート図である。
【図７】同上、パズル形式の問題及び解答データを記録した記録媒体のファイル構成を示す説明図である。
【図８】同上、パズル形式によるゲーム機能の問題画像表示中の表示装置を示す説明図である。
【図９】同上、パズル形式によるゲーム機能の解答画像表示中の表示装置を示す説明図である。
【符号の説明】
【００３８】
１      記録再生装置（再生装置）
１１    ディスクドライブ部（再生手段）
１２    ＣＰＵ
１２ｂ  ファイル処理部（非再生プログラム）
２      記録媒体
【図１】
2007122424.tif 000003
【図２】
2007122424.tif 000004
【図３】
2007122424.tif 000005
【図４】
2007122424.tif 000006
【図５】
2007122424.tif 000007
【図６】
2007122424.tif 000008
【図７】
2007122424.tif 000009
【図８】
2007122424.tif 000010
【図９】
2007122424.tif 000011